(57)【要約】 【課題】            手で持つ電動ドリル、螺子回し等を使用する際に開けた穴が斜めになってしまったり、螺子が斜めに刺さってしまったりする事がある。そのような作業においてそのような失敗を少なくするために穴を真直ぐに開けたり、螺子を真直ぐに刺したりする事ができるように補助するものであり、又、そのような作業をしやすくするものである。【解決手段】  手で持つ電動ドリル、螺子回し等に補助する器具を取り付ける事、そのような装置があらかじめ手で持つ電動ドリル、螺子回し等に付いているものを使用する事により、穴を真直ぐに開けたり、螺子を真直ぐに刺したりする事ができるようにする。【選択図】               図３
2007030154.tif 000002
【特許請求の範囲】
【請求項１】
あてがう部分をもつ手で持つ電動ドリル、ねじ回しの補助器。
【請求項２】
ちじむ棒をもつ請求項１記載の手で持つ電動ドリル、ねじ回しの補助器。
【請求項３】
バネをもつ請求項１記載の手で持つ電動ドリル、ねじ回しの補助器。
【請求項４】
枠の中に手で持つ電動ドリル、ねじ回しを固定する請求項１記載の手で持つ電動ドリル、ねじ回しの補助器。
【請求項５】
ネジで固定する請求項１記載の手で持つ電動ドリル、ねじ回しの補助器。
【請求項６】
固定するネジの先にゴムを取り付けた請求項１記載の手で持つ電動ドリル、ねじ回しの補助器。
【請求項７】
固定するためにタイヤ部分を取り付けたネジを取り付けた請求項１記載の手で持つ電動ドリル、ねじ回しの補助器。
【請求項８】
固定するネジの先にボールを取り付けた請求項１記載の手で持つ電動ドリル、ねじ回しの補助器。
【発明の詳細な説明】
【技術分野】
【０００１】本発明は、手で持つ電動ドリル、ネジ回し等に補助する器具を取り付ける事により、穴を真直ぐに開けたり、ネジを真直ぐに刺したりできるように補助するものである。
【背景技術】
【０００２】手で持つ電動ドリル、ネジ回し等を使用すると開けた穴が斜めになってしまったり、ネジが斜めに刺さってしまったりするものであった。
【発明が解決しようとする課題】
【０００３】手で持つ電動ドリル、ネジ回し等を使用したときに開けた穴が斜めになってしまったり、ネジが斜めに刺さってしまったりしないようにする。
【課題を解決するための手段】
【０００４】本発明は、手で持つ電動ドリル、ネジ回し等に補助する器具を取り付ける事により、穴を真直ぐに開けたり、ネジを真直ぐに刺したりできるように補助するものであり、その器具についての図面をもちいて説明すれば、枠（図１−５）の中にドリル等を入れ、ネジ（図１−４）で固定し、穴を開ける板等に輪等のあてがう部分（図１−１）をあてながら押す事により、穴を真直ぐに開けたり、ネジを真直ぐに刺したりできるようにするものである。
【発明を実施するための最良の形態】
【０００５】穴を開ける板等に輪等のあてがう部分（図１−１）をあてながら押すときに、バネ（図１−３）がちじみながら棒（図１−２）が短くなるので真直ぐにドリルやネジが刺さっているか確認しながら穴を真直ぐに開けたり、ネジを真直ぐに刺したりできるようになる。
ネジ（図１−４）の先にボールやタイヤ等を付けたり、枠（図１−５）を二重にしてベアリングを使えば、ドリル等の回転部分に取り付ける事も出来るようになる。
また、ネジの先にゴム等を取り付ければ滑り止めになって便利である。
【発明の効果】
手で持つ電動ドリル、ネジ回し等に補助する器具を取り付ける事により、穴を真直ぐに開けたり、ネジを真直ぐに刺したりできるようするものである。
【図面の簡単な説明】
【図１】  ドリル等補助器
【符号の説明】
１  輪等のあてがう部分
２  棒
３  バネ
４  ネジ
５  枠
【図１】
2007030154.tif 000003
【手続補正書】
【提出日】平成18年1月23日(2006.1.23)
【手続補正２】
【補正対象書類名】明細書
【補正対象項目名】全文
【補正方法】変更
【補正の内容】
【発明の詳細な説明】
【技術分野】
【０００１】
本発明は、日曜大工、DIY、その他の木材等に穴を開けたり、螺子をさしたり等をする作業をする際に使用する電動ドリル、螺子回し等に作業を補助する器具を取り付ける事、あらかじめそのような装置が電動ドリル、螺子回し等に付いている物を使用する事により、穴を真直ぐに開けたり、螺子を真直ぐに刺したりする事ができるようにするものである。
【背景技術】
【０００２】
日曜大工、DIY、その他の木材等に穴を開けたり、螺子をさしたり等をする作業をする際に電動ドリル、螺子回し等を使用する際に開けた穴が斜めになってしまったり、螺子が斜めに刺さってしまったりする事が多いものであった。
【発明の開示】
【発明が解決しようとする課題】
【０００３】
日曜大工、DIY、その他の木材等に穴を開けたり、螺子をさしたり等をする作業をする際に電動ドリル、螺子回し等を使用する際に開けた穴が斜めになってしまったり、螺子が斜めに刺さってしまったりしないようにする。
【課題を解決するための手段】
【０００４】
電動ドリル、螺子回し等に補助する器具を取り付ける事、あらかじめそのような装置が電動ドリル、螺子回し等に付いている物を使用する事により、穴を真直ぐに開けたり、螺子を真直ぐに刺したりする事ができるようにする。
【発明の効果】
【０００５】
日曜大工、DIY、その他の木材等に穴を開けたり、螺子をさしたり等をする作業をする際に電動ドリル、螺子回し等に補助する器具を取り付ける事、あらかじめそのような装置が電動ドリル、螺子回し等に付いている物を使用する事により、穴を真直ぐに開けたり、螺子を真直ぐに刺したりする事ができるようするものである。
【発明を実施するための最良の形態】
【０００６】
本発明は、手で持つ電動ドリル、螺子回し等に補助する器具を取り付ける事、あらかじめそのような装置が電動ドリル、螺子回し等に付いている物を使用する事により、穴を真直ぐに開けたり、螺子を真直ぐに刺したりする事ができるようにするものであり、その器具についての図面をもちいて説明すれば、枠（図１−５、図２−５）や筒（図３−５）の中にドリル、ドライバー等の先を入れ、固定に使用するネジ等（図１−４、図２−４、図３−４、図４−４）で固定し、穴を開ける板等に輪、筒の先等のあてがう部分（図１−１）をあてながら押す事により、穴を真直ぐに開けたり、螺子を真直ぐに刺したりする事ができるようにするものである。
【０００７】
穴を開ける板等に輪、筒の先等のあてがう部分（図１−１、図３）をあてながら押す際に、バネ（図１−３、図２−３、図４−３）がちじみながら押されるので真直ぐにドリルや螺子が刺さっているか確認しながら穴を真直ぐに開けたり、螺子を真直ぐに刺したりする事ができるようになる。
固定に使用するネジ（図１−４、図２−４、図３−４、図４−４）の先にボールやタイヤ等を付けたり、枠（図１−５）を二重にしてベアリングを使えば、ドリル等の回転部分に取り付ける事も出来るようになる。また、固定に使用するネジの先にゴム等を取り付けたり、角度が変わる板の様にすれば便利である。又、棒（図２−２）に目盛をつけたり筒がちじむようにしたタイプ（図３）を透明にして目盛をつけておけば（図３−６）、穴を開ける深さを確認でき便利である。電動ドリル、螺子回し等に取り付ける部分を輪や筒を通すものでなく上や横からはめられるようにしても良い（図２）。又、あてがう輪や筒等の長さを調節してバネを止め具等で適当な長さに固定できるようにする事により、さらに便利になる（図３−８、９）。又、電動ドリル、螺子回し等に取り付ける部分の固定に使用するネジや枠は、２重、又はそれ以上にする事により、さらに安定したものになる（図４−４、図４−５）。
【図面の簡単な説明】
【０００８】
【図１】ドリル等補助器
【図２】ドリル等補助器のはめ込むタイプ
【図３】ドリル等補助器
【図４】ドリル等補助器
【符号の説明】
【０００９】
１  輪等のあてがう部分
２  棒
３  バネ
４  固定に使用するネジ
５  固定する枠や筒等
６  目盛
７  溝
８  長さを固定する際に止め具を入れる穴
９  止め具が通る溝
【手続補正３】
【補正対象書類名】図面
【補正対象項目名】全図
【補正方法】変更
【補正の内容】
【図１】
2007030154.tif 000004
【図２】
2007030154.tif 000005
【図３】
2007030154.tif 000006
【図４】
2007030154.tif 000007
【手続補正４】
【補正対象書類名】特許請求の範囲
【補正対象項目名】全文
【補正方法】変更
【補正の内容】
【特許請求の範囲】
【請求項１】
あてがう部分を持ち、押してちじむ電動ドリル、螺子回しの補助器。
【請求項２】
枠、筒の中に電動ドリル、螺子回しを固定する請求項１記載の電動ドリル、螺子回しの補助器。
【請求項３】
ネジを使用して固定する請求項１記載の電動ドリル、螺子回しの補助器。
【請求項４】
固定に使用するネジの先にゴム等滑り止めを取り付けた請求項１記載の電動ドリル、螺子回しの補助器。
【請求項５】
固定に使用するネジの先の板の角度が変わる請求項１記載の電動ドリル、螺子回しの補助器。
【請求項６】
固定に使用するネジの先にタイヤ部分を取り付けた請求項１記載の電動ドリル、螺子回しの補助器。
【請求項７】
固定する際に回すネジの先にボールを取り付けた請求項１記載の電動ドリル、螺子回しの補助器。
【請求項８】
目盛をもつ請求項１記載の電動ドリル、螺子回しの補助器。
【請求項９】
目盛がスライドする請求項１記載の電動ドリル、螺子回しの補助器。
【請求項１０】
あてがう筒（又、中に電動ドリル、螺子回しが通されている。）がちじむ請求項１記載の電動ドリル、螺子回しの補助器。
【請求項１１】
請求項１記載の電動ドリル、螺子回しの補助器が付いている電動ドリル、螺子回し。
【請求項１２】
取り付け部の筒の側面や枠の円等の一部が切れていて枠や筒の中を通すのではなく、はめる事ができるような形状になっている請求項１記載の電動ドリル、螺子回しの補助器。
【請求項１３】
固定する部分が二重、若しくはそれ以上になっている請求項１記載の電動ドリル、螺子回しの補助器。
【請求項１４】
電動ドリル、螺子回し等に固定する部分が伸びて位置の調節ができる請求項１記載の電動ドリル、螺子回しの補助器。
【請求項１５】
伸びちじみする長さの調節ができる請求項１記載の電動ドリル、螺子回しの補助器。
【請求項１６】
伸びちじみする長さの調節ができる請求項１記載の電動ドリル、螺子回しの補助器が付いている電動ドリル、螺子回し。
【請求項１７】
あてがう輪や筒の先等に細かい針やスパイクが付いた請求項１記載の電動ドリル、螺子回しの補助器。
【請求項１８】
あてがう輪や筒の先等に細かい針やスパイクが付いた請求項１記載の電動ドリル、螺子回しの補助器が付いている電動ドリル、螺子回し。
【手続補正書】
【提出日】平成18年2月7日(2006.2.7)
【手続補正１】
【補正対象書類名】明細書
【補正対象項目名】全文
【補正方法】変更
【補正の内容】
【発明の詳細な説明】
【技術分野】
【０００１】
本発明は、日曜大工、DIY、その他の木材等に穴を開けたり、螺子をさしたり等をする作業をする際に使用する電動ドリル、螺子回し等に作業を補助する器具を取り付ける事、あらかじめそのような装置が電動ドリル、螺子回し等に付いている物を使用する事により、穴を真直ぐに開けたり、螺子を真直ぐに刺したりする事ができるようにするものである。
【背景技術】
【０００２】
日曜大工、DIY、その他の木材等に穴を開けたり、螺子をさしたり等をする作業をする際に電動ドリル、螺子回し等を使用する際に開けた穴が斜めになってしまったり、螺子が斜めに刺さってしまったりする事が多いものであった。
【発明の開示】
【発明が解決しようとする課題】
【０００３】
日曜大工、DIY、その他の木材等に穴を開けたり、螺子をさしたり等をする作業をする際に電動ドリル、螺子回し等を使用する際に開けた穴が斜めになってしまったり、螺子が斜めに刺さってしまったりしないようにする。
【課題を解決するための手段】
【０００４】
電動ドリル、螺子回し等に補助する器具を取り付ける事、あらかじめそのような装置が電動ドリル、螺子回し等に付いている物を使用する事により、穴を真直ぐに開けたり、螺子を真直ぐに刺したりする事ができるようにする。
【発明の効果】
【０００５】
日曜大工、DIY、その他の木材等に穴を開けたり、螺子をさしたり等をする作業をする際に電動ドリル、螺子回し等に補助する器具を取り付ける事、あらかじめそのような装置が電動ドリル、螺子回し等に付いている物を使用する事により、穴を真直ぐに開けたり、螺子を真直ぐに刺したりする事ができるようするものである。
【発明を実施するための最良の形態】
【０００６】
本発明は、手で持つ電動ドリル、螺子回し等に補助する器具を取り付ける事、あらかじめそのような装置が電動ドリル、螺子回し等に付いている物を使用する事により、穴を真直ぐに開けたり、螺子を真直ぐに刺したりする事ができるようにするものであり、その器具についての図面をもちいて説明すれば、枠（図１−５、図２−５）や筒（図３−５）の中にドリル、ドライバー等の先を入れ、固定に使用するネジ等（図１−４、図２−４、図３−４、図４−４）で固定し、穴を開ける板等に輪、筒の先等のあてがう部分（図１−１）をあてながら押す事により、穴を真直ぐに開けたり、螺子を真直ぐに刺したりする事ができるようにするものである。
【０００７】
穴を開ける板等に輪、筒の先等のあてがう部分（図１−１、図３）をあてながら押す際に、バネ（図１−３、図２−３、図４−３）がちじみながら押されるので真直ぐにドリルや螺子が刺さっているか確認しながら穴を真直ぐに開けたり、螺子を真直ぐに刺したりする事ができるようになる。
固定に使用するネジ（図１−４、図２−４、図３−４、図４−４）の先にボールやタイヤ等を付けたり、枠（図１−５）を二重にしてベアリングを使えば、ドリル等の回転部分に取り付ける事も出来るようになる。また、固定に使用するネジの先にゴム等を取り付けたり、角度が変わる板の様にすれば便利である。又、棒（図２−２）に目盛をつけたり筒がちじむようにしたタイプ（図３）を透明にして目盛をつけておけば（図３−６）、穴を開ける深さを確認でき便利である。電動ドリル、螺子回し等に取り付ける部分を輪や筒を通すものでなく上や横からはめられるようにしても良い（図２）。又、あてがう輪や筒等の長さを調節してバネを止め具等で適当な長さに固定できるようにする事により、さらに便利になる（図３−８、９）。又、電動ドリル、螺子回し等に取り付ける部分の固定に使用するネジや枠は、２重、又はそれ以上にする事により、さらに安定したものになる（図４−４、図４−５）。
又、深い穴をあける際に棒等を連結させて長くしたり短くしたりできるようにすると便利である。
【図面の簡単な説明】
【０００８】
【図１】ドリル等補助器
【図２】ドリル等補助器のはめ込むタイプ
【図３】ドリル等補助器
【図４】ドリル等補助器
【符号の説明】
【０００９】
１  輪等のあてがう部分
２  棒
３  バネ
４  固定に使用するネジ
５  固定する枠や筒等
６  目盛
７  溝
８  長さを固定する際に止め具を入れる穴
９  止め具が通る溝
【手続補正２】
【補正対象書類名】図面
【補正対象項目名】図４
【補正方法】変更
【補正の内容】
【図４】
2007030154.tif 000008
【手続補正３】
【補正対象書類名】特許請求の範囲
【補正対象項目名】全文
【補正方法】変更
【補正の内容】
【特許請求の範囲】
【請求項１】
あてがう部分を持ち、押してちじむ電動ドリル、螺子回しの補助器。
【請求項２】
枠、筒の中に電動ドリル、螺子回しを固定する請求項１記載の電動ドリル、螺子回しの補助器。
【請求項３】
ネジを使用して固定する請求項１記載の電動ドリル、螺子回しの補助器。
【請求項４】
固定に使用するネジの先にゴム等滑り止めを取り付けた請求項１記載の電動ドリル、螺子回しの補助器。
【請求項５】
固定に使用するネジの先の板の角度が変わる請求項１記載の電動ドリル、螺子回しの補助器。
【請求項６】
固定に使用するネジの先にタイヤ部分を取り付けた請求項１記載の電動ドリル、螺子回しの補助器。
【請求項７】
固定する際に回すネジの先にボールを取り付けた請求項１記載の電動ドリル、螺子回しの補助器。
【請求項８】
目盛をもつ請求項１記載の電動ドリル、螺子回しの補助器。
【請求項９】
目盛がスライドする請求項１記載の電動ドリル、螺子回しの補助器。
【請求項１０】
あてがう筒（又、中に電動ドリル、螺子回しが通されている。）がちじむ請求項１記載の電動ドリル、螺子回しの補助器。
【請求項１１】
請求項１記載の電動ドリル、螺子回しの補助器が付いている電動ドリル、螺子回し。
【請求項１２】
取り付け部の筒の側面や枠の円等の一部が切れていて枠や筒の中を通すのではなく、はめる事ができるような形状になっている請求項１記載の電動ドリル、螺子回しの補助器。
【請求項１３】
固定する部分が二重、若しくはそれ以上になっている請求項１記載の電動ドリル、螺子回しの補助器。
【請求項１４】
電動ドリル、螺子回し等に固定する部分が伸びて位置の調節ができる請求項１記載の電動ドリル、螺子回しの補助器。
【請求項１５】
伸びちじみする長さの調節ができる請求項１記載の電動ドリル、螺子回しの補助器。
【請求項１６】
伸びちじみする長さの調節ができる請求項１記載の電動ドリル、螺子回しの補助器が付いている電動ドリル、螺子回し。
【請求項１７】
あてがう輪や筒の先等に細かい針やスパイクが付いた請求項１記載の電動ドリル、螺子回しの補助器。
【請求項１８】
あてがう輪や筒の先等に細かい針やスパイクが付いた請求項１記載の電動ドリル、螺子回しの補助器が付いている電動ドリル、螺子回し。
【請求項１９】
連結させて長くしたり、それをはずして短くしたりする事ができる請求項1記載の電動ドリル、螺子回しの補助器。
【請求項２０】
連結させて長くしたり、それをはずして短くしたりする事ができる請求項1記載の電動ドリル、螺子回しの補助器が付いている電動ドリル、螺子回し。